(57)【要約】【課題】この発明は、ハイビジョン放送から自動的に疑似１６対９放送を検出し、疑似１６対９放送の場合はサイドパネルをカットした映像信号を出力し、ハイビジョン放送が１６対９放送の場合はサイドパネルをカットすることなく１６対９画面の映像信号を出力して、出力された映像信号をＮＴＳＣ信号にダウンコンバートして録画する放送受信装置を提供することを目的としている。【解決手段】  サイドパネルを検出（５）してハイビジョン放送が擬似１６：９画面放送であるか否かを判別する手段（７）と、受信されたハイビジョン放送が擬似１６：９画面放送である場合はサイドパネルをカットした映像信号を出力し、擬似１６：９画面放送ではない場合はハイビジョン放送の映像信号を出力する手段（６）と、上記映像信号をダウンコンバートしてＮＴＳＣ信号を出力する手段と（８）、ＮＴＳＣ信号を録画する録画手段（９）を備える。【選択図】  図１
2005065195.tif 000002
【特許請求の範囲】
【請求項１】
ハイビジョン放送を受信する放送受信手段と、
擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合は前記検出された擬似１６：９画面の放送からサイドパネルをカットしてサイドパネルのカットされた映像信号を出力するサイドパネルカット映像信号出力手段と、
受信されたハイビジョン放送が擬似１６：９画面放送ではないと判断された場合は受信されたハイビジョン放送を出力するハイビジョン放送出力手段と、
前記サイドパネルのカットされた映像信号または前記ハイビジョン放送を受信し、ダウンコンバートしてＮＴＳＣ信号を出力するダウンコンバート手段と、
前記ダウンコンバート手段から出力されたＮＴＳＣ信号を録画する録画手段を備えることを特徴とする放送受信装置。
【請求項２】
ハイビジョン放送を受信する放送受信手段と、
擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合は前記検出された擬似１６：９画面の放送からサイドパネルをカットしてサイドパネルのカットされた映像信号を出力するサイドパネルカット映像信号出力手段と、
受信されたハイビジョン放送が擬似１６：９画面放送ではないと判断された場合は受信されたハイビジョン放送を出力するハイビジョン放送出力手段と
前記サイドパネルのカットされた映像信号または前記ハイビジョン放送を受信し、ダウンコンバートしてＮＴＳＣ信号を出力するダウンコンバート手段と、
前記ダウンコンバート手段から出力されたＮＴＳＣ信号を録画する録画手段を備えることを特徴とする放送受信装置。
【請求項３】
ハイビジョン放送を受信する放送受信手段と、
前記受信されたハイビジョン放送を映像信号として一時的に記憶する第１のメモリと、
前記第１のメモリに一時的に記憶された映像信号から擬似１６：９画面で放送される放送に含まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合はこの擬似１６：９画面のハイビジョン放送を映像信号として一時的に記憶する第２のメモリと、
前記第２のメモリに一時的に記憶された映像信号から擬似１６：９画面の放送に含まれるサイドパネルをカットしてサイドパネルのカットされた映像信号を出力するサイドパネルカット映像信号出力手段と、
受信されたハイビジョン放送が擬似１６：９画面放送ではないと判断された場合は受信されたハイビジョン放送を出力するハイビジョン放送出力手段と、
前記サイドパネルのカットされた映像信号または前記ハイビジョン放送を受信し、ダウンコンバートしてＮＴＳＣ信号を出力するダウンコンバート手段と、
前記ダウンコンバート手段から出力されたＮＴＳＣ信号を録画する録画手段を備えることを特徴とする放送受信装置。
【請求項４】
ハイビジョン放送を受信する放送受信手段と、
前記受信されたハイビジョン放送を映像信号として一時的に記憶するメモリと、
前記メモリに一時的に記憶された映像信号から擬似１６：９画面で放送される放送に含
まれるサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合はこの擬似１６：９画面のハイビジョン放送からサイドパネルをカットしてサイドパネルのカットされた映像信号を出力するサイドパネルカット映像信号出力手段と、
受信されたハイビジョン放送が擬似１６：９画面放送ではないと判断された場合は受信されたハイビジョン放送を出力するハイビジョン放送出力手段と、    
前記サイドパネルのカットされた映像信号または前記ハイビジョン放送を受信し、ダウンコンバートしてＮＴＳＣ信号を出力するダウンコンバート手段と、
前記ダウンコンバート手段から出力されたＮＴＳＣ信号を録画する録画手段を備えることを特徴とする放送受信装置。
【請求項５】
前記出力された映像信号またはハイビジョン放送を表示する表示手段をさらに備えることを特徴とする請求項１乃至４に記載の放送受信装置。
【請求項６】
デジタル放送信号で放送されるハイビジョン放送を受信する放送受信手段と、
前記受信されたハイビジョン放送にデコード処理を施して映像信号に変換して出力するデコード手段と、
前記出力された映像信号を受信し、この映像信号に含まれる擬似１６：９画面放送のサイドパネルを検出することによって前記受信されたハイビジョン放送が擬似１６：９画面放送であるか否かを判別する擬似１６：９放送判別手段と、
受信されたハイビジョン放送が擬似１６：９画面放送であると判断された場合は前記検出された擬似１６：９画面の放送からサイドパネルをカットしてサイドパネルのカットされた映像信号を出力するサイドパネルカット映像信号出力手段と、
受信されたハイビジョン放送が擬似１６：９画面放送ではないと判断された場合は受信されたハイビジョン放送を出力するハイビジョン放送出力手段と、
前記サイドパネルのカットされた映像信号または前記ハイビジョン放送を受信し、ダウンコンバートしてＮＴＳＣ信号を出力するダウンコンバート手段と、
前記ダウンコンバート手段から出力されたＮＴＳＣ信号を録画する録画手段を備えることを特徴とするデジタル放送受信装置。
【請求項７】
前記出力された映像信号またはハイビジョン放送を表示する表示手段をさらに備えることを特徴とする請求項５に記載のデジタル放送受信装置。
【請求項８】
ハイビジョン放送を受信するステップと、
擬似１６：９画面で放送される放送に含まれるサイドパネルを検出することによって前記受信されたハイビジョン放送が擬似１６：９画面放送であるか否かを判別するステップと、
受信されたハイビジョン放送が擬似１６：９画面放送であると判断された場合は前記検出された擬似１６：９画面の放送からサイドパネルをカットしてサイドパネルのカットされた映像信号を出力するステップと、
受信されたハイビジョン放送が擬似１６：９画面放送ではないと判断された場合は受信されたハイビジョン放送を出力するステップと、
サイドパネルのカットされた映像信号またはハイビジョン放送を受信し、ダウンコンバートしてＮＴＳＣ信号を出力するステップと、
前記出力されたＮＴＳＣ信号を録画するステップとを備えることを特徴とする放送受信方法。
【請求項９】
ハイビジョン放送を受信するステップと、
擬似１６：９画面で放送される放送に含まれるサイドパネルを検出することによって前
記受信されたハイビジョン放送が擬似１６：９画面放送であるか否かを判別するステップと、
受信されたハイビジョン放送が擬似１６：９画面放送であると判断された場合は前記検出された擬似１６：９画面の放送からサイドパネルをカットしてサイドパネルのカットされた映像信号を出力するステップと、
受信されたハイビジョン放送が擬似１６：９画面放送ではないと判断された場合は受信されたハイビジョン放送を出力するステップと、
サイドパネルのカットされた映像信号またはハイビジョン放送を受信し、ダウンコンバートしてＮＴＳＣ信号を出力するステップと、
前記出力されたＮＴＳＣ信号を録画するステップとを備えることを特徴とする放送受信方法。
【請求項１０】
ハイビジョン放送を受信するステップと、
前記受信されたハイビジョン放送を映像信号として一時的に記憶するステップと、
前記第１のメモリに一時的に記憶された映像信号から擬似１６：９画面で放送される放送に含まれるサイドパネルを検出することによって前記受信されたハイビジョン放送が擬似１６：９画面放送であるか否かを判別するステップと、
受信されたハイビジョン放送が擬似１６：９画面放送であると判断された場合はこの擬似１６：９画面のハイビジョン放送を映像信号として一時的に記憶するステップと、
前記第２のメモリに一時的に記憶された映像信号から擬似１６：９画面の放送に含まれるサイドパネルをカットしてサイドパネルのカットされた映像信号を出力するステップと、
受信されたハイビジョン放送が擬似１６：９画面放送ではないと判断された場合は受信されたハイビジョン放送を出力するステップと、
サイドパネルのカットされた映像信号またはハイビジョン放送を受信し、ダウンコンバートしてＮＴＳＣ信号を出力するステップと、
前記出力されたＮＴＳＣ信号を録画するステップとを備えることを特徴とする放送受信方法。
【請求項１１】
ハイビジョン放送を受信するステップと、
前記受信されたハイビジョン放送を映像信号として一時的に記憶するステップと、
前記メモリに一時的に記憶された映像信号から擬似１６：９画面で放送される放送に含まれるサイドパネルを検出することによって前記受信されたハイビジョン放送が擬似１６：９画面放送であるか否かを判別するステップと、
受信されたハイビジョン放送が擬似１６：９画面放送であると判断された場合はこの擬似１６：９画面のハイビジョン放送からサイドパネルをカットしてサイドパネルのカットされた映像信号を出力するステップと、
受信されたハイビジョン放送が擬似１６：９画面放送ではないと判断された場合は受信されたハイビジョン放送を出力するステップと、
サイドパネルのカットされた映像信号またはハイビジョン放送を受信し、ダウンコンバートしてＮＴＳＣ信号を出力するステップと、
前記出力されたＮＴＳＣ信号を録画するステップとを備えることを特徴とする放送受信方法。
【請求項１２】
デジタル放送信号で放送されるハイビジョン放送を受信する放送受信手段と、
前記受信されたハイビジョン放送にデコード処理を施して映像信号に変換して出力するステップと、
前記出力された映像信号を受信し、この映像信号に含まれる擬似１６：９画面放送のサイドパネルを検出することによって前記受信されたハイビジョン放送が擬似１６：９画面放送であるか否かを判別するステップと、
受信されたハイビジョン放送が擬似１６：９画面放送であると判断された場合は前記検出された擬似１６：９画面の放送からサイドパネルをカットしてサイドパネルのカットされた映像信号を出力するステップと、
受信されたハイビジョン放送が擬似１６：９画面放送ではないと判断された場合は受信されたハイビジョン放送を出力するステップと、
サイドパネルのカットされた映像信号またはハイビジョン放送を受信し、ダウンコンバートしてＮＴＳＣ信号を出力するステップと、
前記出力されたＮＴＳＣ信号を録画するステップとを備えることを特徴とするデジタル放送受信方法。
【発明の詳細な説明】
【技術分野】
【０００１】
この発明は、ハイビジョン放送を受信する放送受信装置に関する。また、この発明は、デジタル放送で放送されるハイビジョン放送を受信する放送受信装置に関する。
【背景技術】
【０００２】
現在、ハイビジョン放送を受信する放送受信装置が製品化されている。ハイビジョン放送は表示画面のアスペクト比が１６：９となるように構成されている。
【０００３】
また、デジタル放送で放送されるハイビジョン放送においては、表示画面のアスペクト比は１６：９で構成されているものの、放送番組は全てアスペクト比が１６：９で構成されているとは限らず、１６：９画面の中にアスペクト比４：３の映像が表示され、その両サイドには黒または柄模様の映像が付加されて表示されていた。
【０００４】
以下、このハイビジョン放送画面におけるアスペクト比４：３映像の両サイドに表示される黒等の映像をサイドパネルと称する。また、上記アスペクト比４対３の両サイドにサイドパネルを配置してアスペクト比１６：９として放送される放送を擬似１６：９の放送、映像を擬似１６：９の映像、画面を擬似１６：９の画面と称する。
【０００５】
特許文献１には、この擬似１６：９放送を受信し、サイドパネルをカットする処置を施してして表示する技術が開示されている。しかしながら、この特許文献１では、視聴する放送が疑似１６：９放送であるかを視聴者自身が判断する必要があり、疑似１６対９放送が始まった時点で、視聴者がリモコン等を操作してサイドパネルをカットして表示していた。
【０００６】
また、特許文献１の技術では、録画予約を行う場合においては、放送が１６対９放送であるか、擬似１６：９放送であるかを視聴者が、予め設定しておく必要があった。また、録画方式も考慮する必要があるが、これらについては何らの記載もされていない。
【特許文献１】特開２００１−８１２８号公報
【発明の開示】
【発明が解決しようとする課題】
【０００７】
そこで、この発明は上記事情を考慮してなされたもので、ハイビジョン放送から自動的に疑似１６対９放送を検出し、疑似１６対９放送の場合はサイドパネルをカットした映像信号を出力し、ハイビジョン放送が１６対９放送の場合はサイドパネルをカットすることなく１６対９画面の映像信号を出力して、このそれぞれ出力された映像信号をＮＴＳＣ信号にダウンコンバートしてＮＴＳＣ方式で録画する放送受信装置を提供することを目的とする。
【課題を解決するための手段】
【０００８】
この発明に係る放送受信装置は、ハイビジョン放送を受信する放送受信手段と、擬似１６：９画面で放送される放送に含まれるサイドパネルを検出することによって前記受信されたハイビジョン放送が擬似１６：９画面放送であるか否かを判別する擬似１６：９放送判別手段と、受信されたハイビジョン放送が擬似１６：９画面放送であると判断された場合は前記検出された擬似１６：９画面の放送からサイドパネルをカットしてサイドパネルのカットされた映像信号を出力するサイドパネルカット映像信号出力手段と、受信された
ハイビジョン放送が擬似１６：９画面放送ではないと判断された場合は受信されたハイビジョン放送を出力するハイビジョン放送出力手段と、サイドパネルのカットされた映像信号またはハイビジョン放送を受信し、ダウンコンバートしてＮＴＳＣ信号を出力するダウンコンバート手段と、前記ダウンコンバート手段から出力されたＮＴＳＣ信号を録画する録画手段を備えるように構成するものである。
【０００９】
また、この発明に係る放送受信方法は、ハイビジョン放送を受信するステップと、擬似１６：９画面で放送される放送に含まれるサイドパネルを検出することによって前記受信されたハイビジョン放送が擬似１６：９画面放送であるか否かを判別するステップと、受信されたハイビジョン放送が擬似１６：９画面放送であると判断された場合は前記検出された擬似１６：９画面の放送からサイドパネルをカットしてサイドパネルのカットされた映像信号を出力するステップと、受信されたハイビジョン放送が擬似１６：９画面放送ではないと判断された場合は受信されたハイビジョン放送を出力するステップと、サイドパネルのカットされた映像信号またはハイビジョン放送を受信し、ダウンコンバートしてＮＴＳＣ信号を出力するステップと、前記出力されたＮＴＳＣ信号を録画するステップとを備えるように構成するものである。
【発明の効果】
【００１０】
上記した構成によれば、  ハイビジョン放送から疑似１６対９放送を検出し、疑似１６対９放送の場合はサイドパネルをカットした映像信号を出力し、ハイビジョン放送が１６対９放送の場合はサイドパネルをカットすることなく１６対９画面の映像信号を出力して、両者をＮＴＳＣ信号にダウンコンバートして録画するようにしたので、視聴者自身が逐次、放送を監視し、放送が疑似１６：９放送であるか否かを判断する必要がなくなる。また、ＮＴＳＣ表示範囲を利用し、画質の劣化を防止することが可能となる。このため、利用者の利便性を向上させることが可能となる。
【発明を実施するための最良の形態】
【００１１】
以下、この発明の実施の形態について図面を参照して詳細に説明する。図１はこの発明の実施の形態を示すもので、放送受信装置の概略を示す図である。
【００１２】
符号１はアンテナ、２はチューナ、３はＯＦＤＭ復調部、４はＭＰＥＧ復調部、５はサイドパネル検出部、６はサイドパネルカット部、７はＣＰＵ、８はダウンコンバート部、９は録画部、１０はデジタル放送受信装置である。
【００１３】
放送局からデジタル放送で放送されたハイビジョン放送がアンテナ１で受信出力される。アンテナ１から出力された放送はチューナ２で受信され、所定の周波数（放送局）が選局されて出力される。チューナ２から出力された放送はＯＦＤＭ復調部３で受信され、ＯＦＤＭ復調処理が施されて、ＯＦＤＭ復調処理が施された映像信号が出力される。ＯＦＤＭ復調部３から出力されたＯＦＤＭ復調処理が施された映像信号はＭＰＥＧ復調部４で受信され、ＭＰＥＧ２の復調処理が施されて、ＭＰＥＧ２復調処理が施された映像信号が出力される。
【００１４】
ＭＰＥＧ復調部４から出力された映像信号はサイドパネル検出部５で受信される。サイドパネル検出部５はＣＰＵ７で制御される。サイドパネル検出部５は、例えばフィールドメモリを備えており、ＭＰＥＧ復調部４から出力された映像信号を一時的に、１フィールド分記憶する。ここでは、フィールドメモリに記憶された映像信号から、番組が擬似１６：９画面で放送された場合の上記サイドパネルに相当する部分について黒や暗い色の検出を行う。または、サイドパネルに相当する部分について静止画の検出を行ってもよい。この検出結果はＣＰＵ７に送信される。また、映像信号はサイドパネルカット部６へ出力される。
【００１５】
ＣＰＵ７は、、１フィールド内のサイドパネルに相当する部分について黒や暗い色（または静止画）が検出されるとサイドパネルが配置されていると判断し、擬似１６：９画面で放送される放送であると判断する。擬似１６：９画面のサイドパネルに相当する部分でサイドパネルが検出されない場合は擬似１６：９画面ではない（１６：９放送である）と判断する。すなわち、擬似１６：９画面で放送される放送に含まれるサイドパネルを検出することによって前記受信されたハイビジョン放送が擬似１６：９画面放送であるか否かを判別する。
【００１６】
サイドパネルカット部６はサイドパネル検出部５から出力された映像信号を受信する。サイドパネルカット部６はＣＰＵ７に制御される。サイドパネルカット部６は、例えばフィールドメモリを備えており、サイドパネル検出部５から出力された映像信号を一時的に記憶する。ここでは、フィールドメモリに記憶された映像信号から、番組が擬似１６：９画面で放送された場合の上記サイドパネルに相当する部分のカット処理を行う。
【００１７】
すなわち、受信されたハイビジョン放送が擬似１６：９画面放送であると判断された場合は、検出された擬似１６：９画面の放送からサイドパネルをカットしてサイドパネルのカットされた映像信号を出力する。また、ＣＰＵ７が擬似１６：９画面放送ではないと判断した場合は、サイドカット処理を施さずに受信されたハイビジョン放送を映像信号として出力する。サイドパネルカット部６から出力された映像信号はダウンコンバート部８で受信される。
【００１８】
ここでダウンコンバート部８について説明する。ダウンコンバート部８は特に図示しないが、ＣＰＵ７に制御される。
【００１９】
現在、ある放送局から放送されるハイビジョン放送（１６：９画面）のフル画面は、ドット数で表すと約１９６０×１０８０（縦×横）である。ハイビジョン放送が擬似１６：９画面で放送されている場合は、上記のようにサイドパネルが配置されているので、番組内容が表示されるのはサイドパネルを除く４：３画面である。この４：３画面はドット数で表すと約１４４０×１０８０（縦×横）である。
【００２０】
サイドパネルカット部６は、受信されたハイビジョン放送が擬似１６：９画面放送であると判断された場合は、検出された擬似１６：９画面の放送からサイドパネルをカットしてサイドパネルのカットされた映像信号（約１４４０×１０８０ドット（縦×横））を出力する。また、ＣＰＵ７が擬似１６：９画面放送ではないと判断した場合は、サイドカット処理を施さずに受信されたハイビジョン放送を映像信号（約１９６０×１０８０ドット（縦×横））として出力する。
【００２１】
ダウンコンバート部８は、サイドパネルカット部６から出力された映像信号（約１４４０×１０８０ドット（縦×横）または約１９６０×１０８０ドット（縦×横））を受信し、ダウンコンバートしてＮＴＳＣ信号（約７２０×４８０ドット（縦×横））を出力する。
【００２２】
ダウンコンバート部８から出力された映像信号は録画部で受信され、録画される。
【００２３】
デジタル放送受信装置１０は、チューナ２、ＯＦＤＭ復調部３、ＭＰＥＧ復調部４、サイドパネル検出部５、サイドパネルカット部６、ＣＰＵ７、ダウンコンバート部８、録画部９を構成している。
【００２４】
図２は、この発明の実施の形態を示すもので、擬似１６：９放送の画面を示す図である
。図に示すように擬似１６：９放送画面は横×縦のアスペクト比が１６：９の画面で構成される。
【００２５】
符号１１ａ、符号１１ｂはサイドパネルである。符号１２はアスペクト比が４：３の放送画面である。このイメージの映像信号が、上記説明したように、サイドパネル検出部５で受信され、サイドパネル１１ａ、１１ｂが検出される。
【００２６】
図３は、この発明の実施の形態を示すもので、擬似１６：９放送の画面からサイドパネルがカットされた画面を示す図である。上記説明したように、擬似１６：９放送の画面からサイドパネル１１ａ、１１ｂが検出されると、サイドパネルカット部６でサイドパネル１１ａ、１１ｂがカットされ、サイドパネルがカットされた映像信号が出力される。
【００２７】
図４は、この発明の実施の形態を説明するフローチャートである。
【００２８】
符号Ｓ１０１はスタートステップである。続いて符号Ｓ１０２を付したステップへ進む。
【００２９】
符号Ｓ１０２はデジタル放送で放送されるハイビジョン放送を受信するステップである。続いて符号Ｓ１０３を付したステップへ進む。
【００３０】
符号Ｓ１０３はハイビジョン放送をフィールドメモリへ記憶するステップである。続いて符号Ｓ１０４を付したステップへ進む。
【００３１】
符号Ｓ１０４は上記のように放送が擬似１６：９であるか否かを判断するステップである。放送が擬似１６：９であると判断された場合は符号Ｓ１０５を付したステップへ進む（Ｙｅｓ）。放送が擬似１６：９でではないと判断された場合は符号Ｓ１０７を付したステップへ進む（Ｎｏ）。
【００３２】
符号１０５はハイビジョン放送をフィールドメモリへ記憶するステップである。続いて符号Ｓ１０６を付したステップへ進む。
【００３３】
符号Ｓ１０６はフィールドメモリに記憶された擬似１６：９放送のサイドパネルをカットするステップである。続いて符号Ｓ１０７を付したステップへ進む。
【００３４】
符号Ｓ１０７はサイドパネルがカットされた映像信号（４：３）またはハイビジョン放送の映像信号（１６：９）を受信しダウンコンバートしてＮＴＳＣ信号を出力するするステップである。続いて符号Ｓ１０８を付したステップへ進む。
【００３５】
符号Ｓ１０８は、ＮＴＳＣ信号を録画するステップである。続いて符号Ｓ１０９を付したステップへ進む。
【００３６】
符号Ｓ１０９は終了ステップであり、ここでの処理は終了する。
【００３７】
図５はこの発明の、他の実施の形態を説明するフローチャートである。
【００３８】
ここではフィールドメモリに記憶されたハイビジョン放送を用いて、擬似１６：９放送の判断とサイドパネルカット処理を連続的に行うようにしている。
【００３９】
符号Ｓ１０１はスタートステップである。続いて符号Ｓ１０２を付したステップへ進む。
【００４０】
符号Ｓ１０２はデジタル放送で放送されるハイビジョン放送を受信するステップである。続いて符号Ｓ１０３を付したステップへ進む。
【００４１】
符号Ｓ１０３はハイビジョン放送をフィールドメモリへ記憶するステップである。続いて符号Ｓ１０４を付したステップへ進む。
【００４２】
符号Ｓ１０４は上記検出のように放送が擬似１６：９であるか否かを判断するステップである。放送が擬似１６：９であると判断された場合は符号Ｓ１０５を付したステップへ進む（Ｙｅｓ）。放送が擬似１６：９でではないと判断された場合は符号Ｓ１０７を付したステップへ進む（Ｎｏ）。
【００４３】
符号Ｓ１０６はフィールドメモリに記憶された擬似１６：９放送のサイドパネルをカットするステップである。続いて符号Ｓ１０７を付したステップへ進む。
【００４４】
符号Ｓ１０７はサイドパネルがカットされた映像信号（４：３）またはハイビジョン放送の映像信号（１６：９）を受信し、ダウンコンバートしてＮＴＳＣ信号を出力するステップである。続いて符号Ｓ１０８を付したステップへ進む。
【００４５】
符号Ｓ１０８は、ＮＴＳＣ信号を録画するステップである。続いて符号Ｓ１０９を付したステップへ進む。
【００４６】
符号Ｓ１０９は終了ステップであり、ここでの処理は終了する。
【００４７】
上記のように構成することによってこの発明は、ハイビジョン放送から疑似１６対９放送を検出し、疑似１６対９放送が検出された場合はサイドパネルをカットした映像信号を出力し、疑似１６対９放送が検出されない（ハイビジョン放送が１６対９放送である）場合はサイドパネルをカットすることなくハイビジョン放送（１６対９画面）の映像信号を出力し、それぞれ出力された映像信号をダウンコンバートしてＮＴＳＣ信号を出力し、このＮＴＳＣ信号を録画するようにしたので、視聴者自身が逐次、放送を監視し、放送が疑似１６：９放送であるか否かを判断する必要がなくなる。また、ＮＴＳＣ表示範囲を利用し、画質の劣化を防止することが可能となる。このため、利用者の利便性を向上させることが可能となる。
【００４８】
なお、この発明は上記した実施の形態そのままに限定されるものではなく、実施段階ではその趣旨を逸脱しない範囲で構成要素を種々変形して具体化することができる。
【図面の簡単な説明】
【００４９】
【図１】この発明の実施の形態を示すもので、放送受信装置の概略を示す図。
【図２】この発明の実施の形態を示すもので、擬似１６：９放送の画面を示す図。
【図３】この発明の実施の形態を示すもので、擬似１６：９放送の画面からサイドパネルをカットした画面を示す図。
【図４】この発明の実施の形態を説明するフローチャート。
【図５】この発明の、他の実施の形態を説明するフローチャート。
【符号の説明】
【００５０】
１…アンテナ、２…チューナ、３…ＯＦＤＭ復調部、４…ＭＰＥＧ復調部、５…サイドパネル検出部、６…サイドパネルカット部、７…ＣＰＵ、８…ダウンコンバート部、９…録画部、１０…放送受信装置
【図１】
2005065195.tif 000003
【図２】
2005065195.tif 000004
【図３】
2005065195.tif 000005
【図４】
2005065195.tif 000006
【図５】
2005065195.tif 000007